(57)【特許請求の範囲】
【請求項１】
スチームヒータを制御して室内を所望温度に設定できる個室の室内に、両肘掛け部と足置き部とに液体貯溜槽を設けた両肘掛け椅子状の血流促進装置を設置し、かつ、この室内に血圧測定者の右腕等の右半身の所定の部位から血圧を測定する血圧計と、左腕等の左半身の所定の部位から血圧を測定する血圧計とを設置し、上記室内を所望温度に設定して上記室内で血圧測定者の右腕等の右半身並びに左腕等の左半身の血圧をそれぞれ測定し、さらに、上記の両肘掛け部と足置き部との液体貯溜槽に血圧測定者の手足を浸けて血圧測定者の右腕等の右半身並びに左腕等の左半身の血圧をそれぞれ測定するようにした血流促進装置付個室を使用した血圧測定方法。
【発明の詳細な説明】
【０００１】
【発明の属する技術分野】
本発明は、健常者や老人や病弱の人の潜在的な血圧を適正に測定する血流促進装置付個室を使用した血圧測定方法に関する。
【０００２】
【従来の技術】
一般に血圧は、種々の要因が影響しあって非常に不安定であり、測定する時間や場所など周囲の環境によっても測定値に大きな変動を生じる。
【０００３】
【発明が解決しようとする課題】
正しい血圧（基礎血圧）を測定するには、前日から食事の制限をしたり、排泄を規則正しく行なったり、適正な睡眠時間をとるなど、血圧を測定する時の種々の環境を厳しく整えなければならなかった。
【０００４】
本発明は上述のような点に鑑みて開発されたものであり、その目的とするところは、連続して又は適宜間隔を以って正確な血圧を容易に測定できる血流促進装置付個室を使用した血圧測定方法を提供することにある。
【０００５】
【課題を解決するための手段】
本発明は上記のような目的を有効に達成するために、次のような構成にしてある。すなわち、本発明の血流促進装置付個室を使用した血圧測定方法は、スチームヒータ等を制御して室内を所望温度に設定できる個室の室内に、両肘掛け部と足置き部とに液体貯溜槽を設けた両肘掛け椅子状の血流促進装置を設置し、かつ、この室内に血圧測定者の右腕等の右半身の所定の部位から血圧を測定する血圧計と、左腕等の左半身の所定の部位から血圧を測定する血圧計とを設置し、上記室内を所望温度に設定して上記室内で血圧測定者の右腕等の右半身並びに左腕等の左半身の血圧をそれぞれ測定し、さらに、上記の両肘掛け部と足置き部との液体貯溜槽に血圧測定者の手足を浸けて血圧測定者の右腕等の右半身並びに左腕等の左半身の血圧をそれぞれ測定するようにした構成である。
【０００６】
【発明の実施の形態】
以下、本発明の実施の形態について説明する。
本発明に係る血流促進装置付個室の一例について説明すると、図１に示す個室１は、全体が中空の直方体形状で、外周部は木板で囲まれ、一側面には開閉自在で個室１を密閉できる出入り用のドア２が設けられている。個室１のドア２以外の一側面には吸気孔３が開口され、吸気孔３に外部から個室内に吸気ダクト４が接続してある。吸気ダクト４の先端は、個室内の上部中央位の位置にくるようにしてある。またこの吸気ダクト４の他端は、送風機（図示省略）に接続され、新鮮な空気を個室１に供給できるようにしてある。
【０００７】
個室１の上部には排気孔５が開口されていて、外部から排気ダクト６がこの排気孔５に接続してある。排気ダクト６の他端には空気清浄機・排風機（図示省略）が接続してあり、個室１内の排気を自動的に行えるようにしてある。また、個室１には内部に設置（外部に設置してもよい。）したスチームヒータ（図示省略）によって個室内に所望温度のスチームを供給できるようにしてある。また、スチームヒータによる室内の温度調節は、室外で制御操作できるようにしてある。なお、個室１を所望の温度（例えば3６℃以上の所望温度）、湿度にする装置は、上記したスチームヒータ（図示省略）に限ることなく他の公知の装置であってもよい。
【０００８】
さらに個室１内には、両肘掛け椅子状の血流促進装置７（図２参照）が設置してあり、この血流促進装置７の両肘掛け部８と足置き部９には夫々液体貯溜槽１０が設けてある。血流促進装置７には、液体貯溜槽１０に充鎮した液体を加熱・保温するためのヒーター（図示省略）が設けてある。さらに上記の個室１内にはスピーカー（図示せず）が設けられていて、外部に設けたオーデオ装置によって個室内に所望の音楽を流せるようにしてある。
【０００９】
上記のスチームヒータ、送風機、空気清浄機、排風機、ヒーター等を集中制御できるように室内環境コントロール装置１１が個室１の外に設けてある。この室内環境コントロール装置１１は自動或いは手動操作によって制御できるようにしてある。
【００１０】
また、個室１内には（図３参照）、血圧測定者の右腕等の右半身の所定の部位（上腕又は指又は手首等）から血圧を測定する血圧計１２と、左腕等の左半身の所定の部位（上腕又は指又は手首等）から血圧を測定する血圧計１３とがそれぞれ設置してある。
【００１１】
この血圧計１２、１３は、腕帯エア管１４を介して腕帯１５（上腕用又は手首用）と本体１６とを接続した（デジタル）自動式のものである。勿論、腕帯と本体とが一体に形成された（デジタル）自動血圧計、或いは指に帯を巻きつけ血圧を測定するデジタル自動血圧計等であってもよい。
【００１２】
上記のように血圧測定者の右半身並びに左半身の血圧を測定するそれぞれの血圧計１２、１３を備えた血流促進装置付個室１を使用して潜在血圧を測定する場合について説明する。
【００１３】
室内環境コントロール装置１１を操作して上記送風機、空気清浄機、排風機、ヒーター等を制御し、個室１の室内温度を例えば3６℃にする。そして血圧測定者は、個室１内に入り両肘掛け椅子状の血流促進装置７に腰を掛けてリラックスした状態で座る。
【００１４】
そして血圧測定者は、右腕、左腕のそれぞれの上腕に腕帯１５を巻き付けそれぞれの血圧計１２、１３を自分で操作して自動的に右腕と左腕からそれぞれの平常時の正確な最高血圧と最低血圧とを測定する。
【００１５】
次に両足を足置き部９の液体貯溜槽１０に浸けると共に、左右の手をそれぞれの肘掛け部８の液体貯溜槽１０に浸ける。この状態を１０分位続けることによって個室１内の温度と、液体貯溜槽１０に浸けた手足のぬくもりと、個室内を流れる心地よい音楽と、個室１である事による精神的な開放感とによってリラックスした状態になる。このとき熱い高速の血流が発生する。
【００１６】
この状況下で血圧測定者は、それぞれの血圧計を自分で操作して、右腕から最高血圧と最低血圧を、また左腕から最高血圧と最低血圧を、それぞれ同時に適宜間隔を以って又は連続して測定〈自動又は手動で測定〉する。この測定によって連続して体内に隠れている血圧（潜在血圧）を測定することができる。
【００１７】
【発明の効果】
上記のように本発明の血流促進装置付個室を使用した血圧測定方法によれば、個室内で血流促進装置の足置き部及び肘掛け部の各液体貯溜槽に手足を浸ける前に血圧測定者の右腕等の右半身並びに左腕等の左半身からそれぞれ血圧を測ることによって温熱前の平常血圧を左右の2箇所の部位から同時に測定でき、その後、上記液体貯溜槽に手足を浸けて上記と同様に身体の左右の2箇所の部位から血圧を測ることによって温熱中の潜在血圧（熱い血液と高速の血流の発生する状態で測定した血圧）を上記同様に左右の2箇所の部位から同時に測定でき、さらにその後に液体貯溜槽から手足を出して上記と同様に身体の左右の2箇所の部位から血圧を測ることによって温熱後の病因（現在の血圧）血圧を左右の2箇所の部位から同時に測定できる、といったように多種類の血圧を測定することができる。それ故に血圧測定者の血圧を多角的に測定してその時々の血圧を正確に把握するのに寄与できる。
【図面の簡単な説明】
【図１】本発明に係る一例の個室の簡略正面図である。
【図２】本発明に係る血流促進装置の斜視図である。
【図３】本発明に係る一例の個室内での血圧測定の説明図である。
【符号の説明】
１   個室
７   血流促進装置
８   両肘掛け部
９   足置き部
１０  液体貯溜槽
１１ 室内環境コントロール装置
１２  血圧計
１３  血圧計
【図１】
0004663185.tif 000002
【図２】
0004663185.tif 000003
【図３】
0004663185.tif 000004